(57)【要約】      （修正有）【課題】装置全体の形状に係わらず、載置面上に安定した状態で配置することができる携帯端末装置を提供する。【解決手段】携帯端末装置は、手に持って入力操作が可能で、かつ、電池収納部が裏面側に開放されて設けられた機器ケース１と、この機器ケースの電池収納部に選択的に取り付けられる複数種類の電池蓋１０・・・と、これら複数種類の電池蓋それぞれに設けられ、機器ケースの裏面側を載置面上に配置した際に、機器ケースを載置面上に安定させた状態で配置させるための複数の脚部１０ｂ・・・と、を備えている。機器ケースの裏面側を載置面Ｔ上に配置した際に、複数種類の電池蓋の形状に係わらず、電池蓋に設けられた複数の脚部によって機器ケースを載置面上に安定した状態で配置することができる。【選択図】図２
2019009805.tif 000002
【特許請求の範囲】
【請求項１】
手に持って入力操作が可能で、かつ電池収納部が裏面側に開放されて設けられた装置本体と、
前記装置本体の前記電池収納部に選択的に取り付けられる複数種類の電池蓋と、を備え、
前記複数種類の電池蓋のそれぞれは、電池蓋間において湾曲の程度が互いに異なる形状に形成されているとともに、当該電池蓋が取り付けられた状態で前記装置本体の裏面側を載置面に向けて前記載置面上に配置した際に、前記装置本体を前記載置面上に安定配置させるための一対の脚部が設けられており、
前記一対の脚部は、脚部間の幅が、前記湾曲の程度が小さい電池蓋よりも大きい電池蓋の方が狭くなるように設けられている、ことを特徴とする携帯端末装置。
【請求項２】
請求項１に記載の携帯端末装置において、
前記装置本体の表面側には、入力操作部が設けられており、
前記電池収納部は、前記装置本体の裏面側に前記入力操作部と対応して設けられている、ことを特徴とする携帯端末装置。
【請求項３】
請求項１または請求項２に記載の携帯端末装置において、
前記複数種類の電池蓋は、それぞれ形状が異なり、前記装置本体の前記電池収納部に着脱可能に取り付けられる、ことを特徴とする携帯端末装置。
【請求項４】
請求項１から請求項３の何れかに記載の携帯端末装置において、
前記複数種類の電池蓋のうち、少なくとも１つの電池蓋は、前記装置本体の裏面側に向けて緩やかに湾曲して突出する湾曲形状に形成されている、ことを特徴とする携帯端末装置。
【請求項５】
請求項１から請求項４の何れかに記載の携帯端末装置において、
前記複数種類の電池蓋のうち、少なくとも１つの電池蓋には、指掛け部が形成されている、ことを特徴とする携帯端末装置。
【請求項６】
請求項１から請求項５の何れかに記載の携帯端末装置において、
前記複数種類の電池蓋のうち、少なくとも１つの電池蓋は、前記装置本体の裏面とほぼ同じ平坦形状に形成されている、ことを特徴とする携帯端末装置。
【請求項７】
請求項１から請求項６の何れかに記載の携帯端末装置において、
前記複数種類の電池蓋のうち、少なくとも１つの電池蓋は、前記装置本体の裏面側に向けて盛り上がるほぼ箱形状に形成されている、ことを特徴とする携帯端末装置。
【請求項８】
請求項１から請求項７の何れかに記載の携帯端末装置において、
前記複数種類の電池蓋のそれぞれは、前記一対の脚部が前記装置本体の短辺方向に沿って並ぶように配置されている、ことを特徴とする携帯端末装置。
【請求項９】
請求項１から請求項８の何れかに記載の携帯端末装置において、
前記複数種類の電池蓋のそれぞれは、前記一対の脚部のそれぞれが半球形に突出した形状に形成されている、ことを特徴とする携帯端末装置。
【発明の詳細な説明】
【技術分野】
【０００１】
この発明は、手に持って使用する携帯端末装置に関する。
【背景技術】
【０００２】
例えば、手に持って使用する携帯端装置においては、特許文献１に記載されているように、装置本体を握り易く、かつ入力操作し易くするために、装置本体を握り易い湾曲形状に形成すると共に、装置本体の裏面に指掛突起部を設け、この指掛突起部に指を掛けた状態で、装置本体を握るように構成されたものが知られている。
【先行技術文献】
【特許文献】
【０００３】
【特許文献１】特開平１０−１１２８９１号公報
【発明の概要】
【発明が解決しようとする課題】
【０００４】
このような携帯端巻装置では、装置本体を卓上などの載置面上に配置する際に、装置本体の裏面側を載置面上に配置すると、装置本体の湾曲形状の部分、および装置本体の裏面に設けられた指掛突起部が載置面に接触する。このため、装置本体が不安定な状態になり、載置面上で転がってしまうという問題がある。
【０００５】
この発明が解決しようとする課題は、装置全体の形状に係わらず、載置面上に安定した状態で配置することができる携帯端末装置を提供することである。
【課題を解決するための手段】
【０００６】
この発明は、手に持って入力操作が可能で、かつ電池収納部が裏面側に開放されて設けられた装置本体と、前記装置本体の前記電池収納部に選択的に取り付けられる複数種類の電池蓋と、を備え、前記複数種類の電池蓋のそれぞれは、電池蓋間において湾曲の程度が互いに異なる形状に形成されているとともに、当該電池蓋が取り付けられた状態で前記装置本体の裏面側を載置面に向けて前記載置面上に配置した際に、前記装置本体を前記載置面上に安定配置させるための一対の脚部が設けられており、前記一対の脚部は、脚部間の幅が、前記湾曲の程度が小さい電池蓋よりも大きい電池蓋の方が狭くなるように設けられている、ことを特徴とする。
【発明の効果】
【０００７】
この発明によれば、装置本体を電池蓋によって握り易い形状にしても、装置本体の裏面側を載置面上に配置した際に、電池蓋の形状に係わらず、電池蓋に設けられた複数の脚部によって装置本体を載置面上に安定した状態で配置することができる。このため、装置全体の形状に係わらず、装置本体を載置面上に安定した状態で配置することができる。
【図面の簡単な説明】
【０００８】
【図１】この発明を携帯端末機に適用した一実施形態を示した正面図である。
【図２】図１に示された携帯端末機の裏面図である。
【図３】図２に示された携帯端末機から電池蓋を取り外した状態を示した要部の拡大斜視図である。
【図４】図１に示された携帯端末機を載置面上に配置して右側から見た側面図である。
【図５】図４に示された携帯端末機を左側から見た側面図である。
【図６】図２に示された第１の電池蓋を示し、（ａ）はその裏面図、（ｂ）はそれを左側から見た側面図、（ｃ）はそれを下辺部側から見た側面図である。
【図７】図２に示された携帯端末機に第２の電池蓋を取り付けた状態を示した裏面図である。
【図８】図７に示された携帯端末機を載置面上に配置して右側から見た側面図である。
【図９】図８に示された携帯端末機を左側から見た側面図である。
【図１０】図７に示された第２の電池蓋を示し、（ａ）はその裏面図、（ｂ）はそれを左側から見た側面図、（ｃ）はそれを下辺部側から見た側面図である。
【図１１】図２に示された携帯端末機に第３の電池蓋を取り付けた状態を示した裏面図である。
【図１２】図１１に示された携帯端末機を載置面上に配置して右側から見た側面図である。
【図１３】図１２に示された携帯端末機を左側から見た側面図である。
【図１４】図１１に示された第３の電池蓋を示し、（ａ）はその裏面図、（ｂ）はそれを左側から見た側面図、（ｃ）はそれを下辺部側から見た側面図である。
【発明を実施するための形態】
【０００９】
以下、図１〜図１４を参照して、この発明を携帯端末機に適用した一実施形態について説明する。
この携帯端末機は、図１および図２に示すように、前後方向（図１では上下方向）に長い長方形状の機器ケース１を備えている。この機器ケース１は、上部ケース２と下部ケース３とを有し、これらの内部にモジュール（図示せず）が組み込まれるように構成されている。
【００１０】
上部ケース２は、図１、図４、図５に示すように、上面が長方形のほぼ平板状に形成され、その外周の側面部が下部ケース３に取り付けられるように構成されている。この場合、上部ケース２の上面におけるほぼ上辺側半分には、表示窓部４が設けられており、そのほぼ下辺側半分には、キー入力部５が設けられている。
【００１１】
表示窓部４は、図１に示すように、上部ケース２の上面にほぼ長方形状に形成され、上部ケース２内に設けられた表示パネル４ａが対応して配置され、この表示パネルに４ａに表示された情報が上部ケース２の上方から見えるように構成されている。キー入力部５は、テンキー、カーソルキー、ファンクションキーなどの携帯端末機に必要な各種のキーを備えている。
【００１２】
下部ケース３は、図２〜図５に示すように、その裏面がほぼ平坦状に形成され、長手方向に沿う両側面部が裏面（図５では下面）に向けて円弧状に湾曲して形成され、この側面部の上部（図５では上部）に上部ケース２の側面部の下部が取り付けられるように構成されている。この下部ケース３の上辺部側（図４では右辺部側）に位置する裏面には、光学読取部（図示せず）の読取窓部６が設けられている。
【００１３】
この場合、下部ケース３の上辺部側に位置する裏面側には、図４に示すように、山形状に突出する読取突起部６ａが設けられている。この読取突起部６ａの上辺側の斜面には、読取窓部６が設けられている。また、光学読取部は、レーザ光線を下部ケース３の読取窓部６から機器ケース１の外部に出射させ、そのレーザ光線の反射光を受光することにより、物品のバーコードなどを読み取るように構成されている。
【００１４】
また、この下部ケース３の前後方向（図２では上下方向）におけるほぼ中間部には、図２に示すように、外部接続部（図示せず）を開閉可能に塞ぐ接続蓋７が取り付けられている。さらに、この下部ケース３の前後方向におけるほぼ中間部に位置する両側部には、スイッチ部８がそれぞれ設けられている。
【００１５】
また、この下部ケース３の下辺部側には、図２〜図１４に示すように、形状の異なる３種類の電池蓋１０〜１２のいずれかが選択的に取り付けられる電池収納部１３が設けられている。この電池収納部１３は、図３に示すように、充電池１４を収納するものであり、上部ケース２の下辺側に設けられたキー入力部５に対応した状態で、下部ケース３の裏面側（図３では表面側）に開放されて設けられている。
【００１６】
この電池収納部１３の縁部には、図２に示すように、３種類の電池蓋１０〜１２を選択的に電池収納部１３に着脱可能に取り付けるための複数の取付レバー１５が設けられている。これら複数の取付レバー１５は、回転操作することにより、３種類の電池蓋１０〜１２のいずれかの縁部を電池収納部１３に係脱可能に係止するように構成されている。
【００１７】
ところで、３種類の電池蓋１０〜１２のうち、第１の電池蓋１０は、図４〜図６に示すように、下部ケース３の両側部から裏面側に向けて緩やかに湾曲して突出する湾曲形状に形成されている。これにより、第１の電池蓋１０は、図２、図４、図５に示すように、下部ケース３の電池収納部１３に取り付けられた状態で、機器ケース１を片手で握った際に、手にフィットするように構成されている。
【００１８】
この場合、第１の電池蓋１０の上辺側（図４では右辺側）に位置する端部には、図４および図６に示すように、指掛け部１０ａが下部ケース３の裏面側に向けて読取突起部６ａよりも少し突出した状態で設けられている。この指掛け部１０ａは、上辺側（図４では右辺側）が急な傾斜面に形成され、下辺側（図４では左辺側）が緩やかに傾斜する湾曲面に形成されている。このため、この第１の電池蓋１０は、機器ケース１を片手で握った際に、指掛け部１０ａに指が引っ掛けられるように構成されている。
【００１９】
また、この第１の電池蓋１０には、図４〜図６に示すように、２つの脚部１０ｂが設けられている。これら２つの脚部１０ｂは、指掛け部１０ａの最も突出した個所において、機器ケース１の長手方向に対して直交する方向における第１の電池蓋１０の中間部を境にして、その両側にそれぞれ第１の電池蓋１０の裏面側に向けて突出して設けられている。
【００２０】
これにより、２つの脚部１０ｂは、図４および図５に示すように、機器ケース１の裏面側を卓上などの載置面Ｔ上に配置した際に、載置面Ｔ上に接触することにより、機器ケース１を載置面Ｔ上に安定させた状態で配置させるように構成されている。この場合、機器ケース１は、その裏面側が載置面Ｔ上に配置された際に、下部ケース３の上辺側の読取突起部６ａが脚部として載置面Ｔ上に接触し、下部ケース３の下辺側に位置する第１の電池蓋１０の２つの脚部１０ｂが載置面Ｔ上に接触するように構成されている。
【００２１】
２つの脚部１０ｂは、第１の電池蓋１０の湾曲の程度に応じた間隔を隔てて配置されている。即ち、第１の電池蓋１０は第２の電池蓋１１や第３の電池蓋１２と比較して湾曲の程度が最も大きいため、２つの脚部１０ｂは、最も距離が小さい第１の間隔を隔てて配置されている。
なお、２つの脚部１０ｂの形状は、図示するような角が丸い半球形に突出した形状に限らず、楕円形に突出した形状や四角形に突出した形状など任意の形状であってよい。
【００２２】
このため、この機器ケース１は、図４に示すように、下辺側（図４では左辺側）が高く、上辺側（図４では右辺側）が少し低くなるように傾斜した状態で、載置面Ｔ上に配置される。これにより、機器ケース１は、図５に示すように、第１の電池蓋１０の２つの脚部１０ｂが載置面Ｔ上に接触することにより、第１の電池蓋１０が下部ケース３の裏面側に向けて緩やかに湾曲して突出する湾曲形状に形成されていても、第１の電池蓋１０が載置面Ｔ上で転がり難い状態になり、この状態で載置面Ｔ上に安定した状態で配置されるように構成されている。
【００２３】
一方、第２の電池蓋１１は、図７〜図１０に示すように、下部ケース３の裏面とほぼ同じ平坦形状に形成されている。すなわち、この第２の電池蓋１１は、下部ケース３の長手方向に沿う両側部が円弧状に湾曲し、裏面が平坦状に形成されている。このため、この第２の電池蓋１１は、下部ケース３の電池収納部１３に取り付けられた際に、下部ケース３と同じ形状になるように形成されている。
【００２４】
これにより、第２の電池蓋１１は、図７〜図９に示すように、下部ケース３の電池収納部１３に取り付けられた際に、下部ケース３と同じ形状になり、下部ケース３とフラット状態になることにより、衣服のポケットに収納する際に引っ掛かることなく機器ケース１が収納されるように構成されている。
【００２５】
また、この第２の電池蓋１１には、図７〜図１０に示すように、２つの脚部１１ａが設けられている。これら２つの脚部１１ａは、第２の電池蓋１１の下辺部側における平坦部の両側近傍に位置する湾曲面に設けられ、その各先端部が平坦面よりも裏面側に突出して設けられている。これにより、２つの脚部１１ａは、図９に示すように、機器ケース１の裏面側を卓上などの載置面Ｔ上に配置した際に、載置面Ｔ上に接触することにより、機器ケース１を載置面Ｔ上に安定させた状態で配置させるように構成されている。
【００２６】
２つの脚部１１ａは、第２の電池蓋１１の湾曲の程度に応じた間隔を隔てて配置されている。即ち、第２の電池蓋１１は第１の電池蓋１０や第３の電池蓋１２と比較して湾曲の程度が最も小さいため、２つの脚部１１ａは、最も距離が大きい第３の間隔を隔てて配置されている。
なお、２つの脚部１１ａの形状は、図示するような角が丸い半球形に突出した形状に限らず、楕円形に突出した形状や四角形に突出した形状など任意の形状であってよい。
【００２７】
この場合、機器ケース１は、図８および図９に示すように、その裏面側が載置面Ｔ上に配置された際に、下部ケース３の上辺側の読取突起部６ａが脚部として載置面Ｔ上に接触し、下部ケース３の下辺側に位置する第１の電池蓋１０の２つの脚部１０ｂが載置面Ｔ上に接触するように構成されている。これにより、機器ケースは、下辺側（図８では左辺側）が低く、上辺側（図８では右辺側）が少し高くなるように傾斜した状態で、載置面Ｔ上に安定した状態で配置されるように構成されている。
【００２８】
一方、第３の電池蓋１２は、図１１〜図１４に示すように、下部ケース３の裏面側に向けて盛り上がるほぼ箱形状に形成されている。すなわち、この第３の電池蓋１２は、下部ケース３の電池収納部１３に取り付けられた際に、下部ケース３の両側部から裏面側に向けてほぼ垂直に延び、その延びた端部が下部ケース３の読取突起部６ａよりも突出し、この突出した部分がほぼ平坦な形状をなしていることにより、全体がほぼ箱状に形成されている。
【００２９】
これにより、第３の電池蓋１２は、図１１〜図１３に示すように、下部ケース３の電池収納部１３に取り付けられた際に、電池収納部１３の収納容積が第１、第２の各電池蓋１０、１１の場合よりも、大幅に大きくなるように構成されている。このため、この第３の電池蓋１２が取り付けられた電池収納部１３は、その内部に大容量の充電池１４が収納されるように構成されている。
【００３０】
また、この第３の電池蓋１２には、図１１〜図１４に示すように、２つの脚部１２ａが設けられている。これら２つの脚部１２ａは、第３の電池蓋１２の箱状の底部である裏面の上辺部側（図１２では右辺側）において、機器ケース１の長手方向に対して直交する方向における第３の電池蓋１２の中間部を境にして、その両側にそれぞれ第３の電池蓋１２の裏面側に向けて突出して設けられている。
【００３１】
これにより、２つの脚部１２ａは、図１２および図１３に示すように、機器ケース１の裏面側を卓上などの載置面Ｔ上に配置した際に、載置面Ｔ上に接触することにより、第３の電池蓋１２が載置面Ｔに接触することがなく、機器ケース１を載置面Ｔ上に安定させた状態で配置させるように構成されている。
【００３２】
２つの脚部１２ａは、第３の電池蓋１２の湾曲の程度に応じた間隔を隔てて配置されている。即ち、第３の電池蓋１２は第１の電池蓋１０と比較すると湾曲の程度が小さく、且つ第２の電池蓋１１と比較すると湾曲の程度が大きいため、２つの脚部１２ａは、第１の間隔よりも距離が長く且つ第３の間隔よりも距離が短い第２の間隔を隔てて配置されている。
なお、２つの脚部１２ａの形状は、図示するような角が丸い半球形に突出した形状に限らず、楕円形に突出した形状や四角形に突出した形状など任意の形状であってよい。
【００３３】
この場合、機器ケース１は、図１２に示すように、その裏面側が載置面Ｔ上に配置された際に、下部ケース３の上辺側の読取突起部６ａが脚部として載置面Ｔ上に接触し、下部ケース３の下辺側に位置する第３の電池蓋１２の２つの脚部１２ａが載置面Ｔ上に接触するように構成されている。このため、この機器ケースは、下辺側（図１２では左辺側）が高く、上辺側（図４では右辺側）が低くなるように傾斜した状態で、載置面Ｔ上に安定した状態で配置されるように構成されている。
【００３４】
次に、このような携帯端末機の作用について説明する。
まず、機器ケース１の下部ケース３の電池収納部１３に第１の電池蓋１０を取り付けた場合には、図２〜図５に示すように、第１の電池蓋１０が下部ケース３の両側部から裏面側に向けて緩やかに湾曲して突出する湾曲形状に形成されていることにより、機器ケース１を片手で握った際に、手にフィットする。このため、機器ケース１を片手で握った状態で、上部ケース２のキー入力部５を良好に入力操作することができるので、使い勝手が良い。
【００３５】
この場合、第１の電池蓋１０の上辺側に位置する端部には、指掛け部１０ａが下部ケース３の裏面側に向けて読取突起部６ａよりも少し突出した状態で設けられていることにより、機器ケース１を片手で握った際に、指掛け部１０ａに指を引っ掛けることができる。このため、使用中に手から機器ケース１を落さないようすることができると共に、長時間に亘って疲れることなく作業をすることができる。
【００３６】
また、この第１の電池蓋１０が取り付けられた機器ケース１を載置面Ｔ上に配置する際には、機器ケース１の裏面側を下にして、機器ケース１を載置面Ｔ上に配置する。すると、下部ケース３の上辺側の読取突起部６ａが脚部として載置面Ｔ上に接触し、下部ケース３の下辺側に位置する第１の電池蓋１０の２つの脚部１０ｂが載置面Ｔ上に接触する。これにより、機器ケース１の下辺側（図４では左辺側）が高く、上辺側（図４では右辺側）が少し低くなるように傾斜した状態で、機器ケース１が載置面Ｔ上に配置される。
【００３７】
この場合、２つの脚部１０ｂは、第１の電池蓋１０の裏面の上辺部側（図４では右辺側）において、機器ケース１の長手方向に対して直交する方向における第１の電池蓋１０の中間部を境にして、その両側にそれぞれ指掛け部１０ａの裏面よりも突出して設けられている。このため、機器ケース１を載置面Ｔ上に配置した際には、機器ケース１が載置面Ｔ上に安定した状態で配置される。
【００３８】
すなわち、第１の電池蓋１０の２つの脚部１０ｂが載置面Ｔ上に接触することにより、第１の電池蓋１０が下部ケース３の裏面側に向けて緩やかに湾曲して突出する湾曲形状に形成されていても、第１の電池蓋１０の裏面が載置面Ｔに接触することがないので、第１の電池蓋１０が載置面Ｔ上で転がり難い状態になり、この状態で載置面Ｔ上に安定した状態で配置される。
【００３９】
一方、機器ケース１の下部ケース３の電池収納部１３に第２の電池蓋１１を取り付けた場合には、図７〜図９に示すように、第２の電池蓋１１が下部ケース３の裏面とほぼ同じ平坦形状に形成されていることより、第２の電池蓋１１が下部ケース３と同じ形状になる。このため、第２の電池蓋１１と下部ケース３とがフラットな状態になるので、機器ケース全体が薄くなり、機器ケース１を衣服のポケットに収納する際に、機器ケース１が引っ掛かることがなく、出し入れできるので、機器ケース１を良好に携帯することができる。
【００４０】
また、この第２の電池蓋１１が取り付けられた機器ケース１を載置面Ｔ上に配置する際には、機器ケース１の裏面側を下にして、機器ケース１を載置面Ｔ上に配置する。すると、下部ケース３の上辺側の読取突起部６ａが脚部として載置面Ｔ上に接触し、下部ケース３の下辺側に位置する第２の電池蓋１１の２つの脚部１１ａが載置面Ｔ上に接触する。これにより、機器ケースの下辺側（図８では左辺側）が低く、上辺側（図８では右辺側）が少し高くなるように傾斜した状態で、機器ケース１が載置面Ｔ上に配置される。
【００４１】
この場合、２つの脚部１１ａは、第２の電池蓋１１の下辺部側における平坦部の両側近傍に位置する湾曲面に設けられ、その各先端部が平坦面よりも裏面側に突出して設けられていることにより、機器ケース１の裏面側を卓上などの載置面Ｔ上に配置した際に、２つの脚部１１ａを載置面Ｔ上に接触させることができる。このため、第２の電池蓋１１の裏面が載置面Ｔに接触することがないので、機器ケース１を載置面Ｔ上に安定させた状態で配置させることができる。
【００４２】
一方、機器ケース１の下部ケース３の電池収納部１３に第３の電池蓋１２を取り付けた場合には、図１１〜図１３に示すように、第３の電池蓋１２が下部ケース３の裏面側に向けて盛り上がるほぼ箱形状に形成されている。このため、この第３の電池蓋１２が下部ケース３の電池収納部１３に取り付けられた際には、電池収納部１３の収納容積が、第１、第２の各電池蓋１０、１１の場合よりも、大幅に大きくなる。これにより、電池収納部１３の内部に大容量の充電池１４を収納することができるので、携帯端末機を長時間に亘って連続使用することができる。
【００４３】
また、この第３の電池蓋１２が取り付けられた機器ケース１を載置面Ｔ上に配置する際には、機器ケース１の裏面側を下にして、機器ケース１を載置面Ｔ上に配置する。すると、下部ケース３の上辺側の読取突起部６ａが脚部として載置面Ｔ上に接触し、下部ケース３の下辺側に位置する第３の電池蓋１２の２つの脚部１２ａが載置面Ｔ上に接触する。これにより、機器ケースの下辺側（図１２では左辺側）が高く、上辺側（図１２では右辺側）が低くなるように傾斜した状態で、機器ケース１が載置面Ｔ上に配置される。
【００４４】
この場合、２つの脚部１２ａは、第３の電池蓋１２の箱状の底部である裏面の上辺部側（図１２では右辺側）において、機器ケース１の長手方向に対して直交する方向における第３の電池蓋１２の中間部を境にして、その両側にそれぞれ第３の電池蓋１２の裏面側に向けて突出して設けられている。これにより、第３の電池蓋１２の裏面が載置面Ｔに接触することがないので、機器ケース１を載置面Ｔ上に安定させた状態で配置させることができる。
【００４５】
このように、この携帯端末機によれば、手に持って入力操作が可能で、かつ電池収納部１３が裏面側に開放されて設けられた機器ケース１と、この機器ケース１の電池収納部１３に選択的に取り付けられる３種類の電池蓋１０〜１２と、これら電池蓋１０〜１２それぞれに設けられ、機器ケース１の裏面側を載置面Ｔ上に配置した際に、機器ケース１を載置面Ｔ上に安定させた状態で配置させるための複数の脚部１０ｂ、１１ａ、１２ａと、を備えていることにより、電池蓋１０〜１２の形状に係わらず、機器ケース１を載置面Ｔ上に安定した状態で配置することができる。
【００４６】
すなわち、この携帯端末機では、用途に応じて電池蓋１０〜１２を握り易い形状、フラットな形状、収納容積の大きい形状にしても、機器ケース１の裏面側を載置面Ｔ上に配置した際に、電池蓋１０〜１２の形状に係わらず、電池蓋１０〜１２それぞれに設けられた複数の脚部１０ｂ、１１ａ、１２ａによって機器ケース１を載置面Ｔ上に安定した状態で配置することができる。このため、機器ケース１の形状に係わらず、機器ケース１を載置面Ｔ上に安定した状態で配置することができる。
【００４７】
この場合、機器ケース１の表面側には、キー入力部５が設けられており、電池収納部１３は、機器ケース１の裏面側にキー入力部５と対応して設けられていることにより、機器ケース１に電池収納部１３を設けても、機器全体をコンパクトに構成することができるほか、機器ケース１を片手で握った状態で、その握った片手でキー入力部５を入力操作することができるので、使い勝手が良い。
【００４８】
また、この携帯端末機では、３種類の電池蓋１０〜１２それぞれの形状が異なり、これら電池蓋１０〜１２が機器ケース１の電池収納部１３に着脱可能に取り付けられることにより、３種類の電池蓋１０〜１２を用途に応じて機器ケース１の電池収納部１３に選択的に取り付けることができる。このため、用途に応じて機種を変更する必要がなく、電池蓋１０〜１２を交換するだけで、機器全体の形状を用途に応じて簡単に変更することができるので、使い勝手が良い。
【００４９】
例えば、複数種類の電池蓋１０〜１２のうち、第１の電池蓋１０を機器ケース１の電池収納部１３に取り付けた場合には、この第１の電池蓋１０が下部ケース３の両側部から裏面側に向けて緩やかに湾曲して突出する湾曲形状に形成されていることにより、機器ケース１を片手で握った際に、手にフィットさせることができる。このため、機器ケース１を片手で握った状態で、上部ケース２のキー入力部５を良好に入力操作することができるので、使い勝手が良い。
【００５０】
この場合、第１の電池蓋１０の上辺側に位置する端部には、指掛け部１０ａが下部ケース３の裏面側に向けて読取突起部６ａよりも少し突出した状態で設けられているので、機器ケース１を片手で握った際に、指掛け部１０ａに指を引っ掛けることができる。このため、使用中に手から機器ケース１を落さないようすることができると共に、長時間に亘って疲れることなく作業をすることができる。
【００５１】
また、この第１の電池蓋１０が取り付けられた機器ケース１を載置面Ｔ上に配置する際には、機器ケース１の裏面側を下にして、機器ケース１を載置面Ｔ上に配置すると、下部ケース３の上辺側の読取突起部６ａを脚部として載置面Ｔ上に接触させて、下部ケース３の下辺側に位置する第１の電池蓋１０の２つの脚部１０ｂを載置面Ｔ上に接触させることができる。
【００５２】
このため、機器ケース１は、その下辺側（図４では左辺側）が高く、上辺側（図４では右辺側）が少し低くなるように傾斜した状態で、機器ケース１を載置面Ｔ上に配置することができる。この状態では、第１の電池蓋１０が載置面Ｔ上に接触することがないので、第１の電池蓋１０が下部ケース３の裏面側に向けて緩やかに湾曲して突出する湾曲形状に形成されていても、第１の電池蓋１０を載置面Ｔ上で転がり難い状態にすることができ、これにより機器ケース１を載置面Ｔ上に安定させた状態で良好に配置することができる。
【００５３】
また、複数種類の電池蓋１０〜１２のうち、第２の電池蓋１１を機器ケース１の電池収納部１３に取り付けた場合には、第２の電池蓋１１が下部ケース３の裏面とほぼ同じ平坦形状に形成されていることにより、第２の電池蓋１１を下部ケース３と同じ形状にすることができる。このため、第２の電池蓋１１と下部ケース３とをフラットな状態にすることができるので、機器ケース１を衣服のポケットに収納する際に機器ケース１が引っ掛かることがなく、出し入れでき、機器ケース１を良好に携帯することができる。
【００５４】
また、この第２の電池蓋１１が取り付けられた機器ケース１を載置面Ｔ上に配置する際には、機器ケース１の裏面側を下にして、機器ケース１を載置面Ｔ上に配置すると、下部ケース３の上辺側の読取突起部６ａを脚部として載置面Ｔ上に接触させて、下部ケース３の下辺側に位置する第２の電池蓋１１の２つの脚部１１ａを載置面Ｔ上に接触させることができる。
【００５５】
この場合、２つの脚部１１ａは、第２の電池蓋１１の下辺部側（図８では右辺側）における平坦部の両側近傍に位置する湾曲面に設けられ、その各先端部が平坦面よりも裏面側に突出して設けられていることにより、機器ケース１の裏面側を卓上などの載置面Ｔ上に配置させた際に、２つの脚部１１ａを載置面Ｔ上に接触させることができる。
【００５６】
このため、機器ケース１の裏面側を卓上などの載置面Ｔ上に配置させた際には、機器ケースの下辺側（図８では左辺側）が低く、上辺側（図８では右辺側）が少し高くなるように傾斜した状態で、第２の電池蓋１１が載置面Ｔに接触することがないので、機器ケース１を載置面Ｔ上に安定させた状態で配置させることができる。
【００５７】
さらに、複数種類の電池蓋１０〜１２のうち、第３の電池蓋１２を機器ケース１の電池収納部１３に取り付けた場合には、第３の電池蓋１２が下部ケース３の裏面側に向けて盛り上がるほぼ箱形状に形成されていることにより、電池収納部１３の収納容積を大きく形成することができる。
【００５８】
すなわち、この第３の電池蓋１２が下部ケース３の電池収納部１３に取り付けられた際には、第３の電池蓋１２がほぼ箱形状に形成されて下部ケース３の裏面側に向けて盛り上がっていることにより、電池収納部１３の収納容積を、第１、第２の各電池蓋１０、１１の場合よりも、大幅に大きくすることができる。これにより、電池収納部１３の内部に大容量の充電池１４を収納することができるので、携帯端末機を長時間に亘って連続使用することができる。
【００５９】
また、この第３の電池蓋１２が取り付けられた機器ケース１を載置面Ｔ上に配置する際には、機器ケース１の裏面側を下にして、機器ケース１を載置面Ｔ上に配置すると、下部ケース３の上辺側の読取突起部６ａを脚部として載置面Ｔ上に接触させて、下部ケース３の下辺側に位置する第３の電池蓋１２の２つの脚部１２ａを載置面Ｔ上に接触させることができ、この状態で機器ケース１を載置面Ｔ上に配置することができる。
【００６０】
この場合にも、２つの脚部１２ａは、第３の電池蓋１２の箱状の底部である裏面の上辺部側（図１２では右辺側）において、機器ケース１の長手方向に対して直交する方向における第３の電池蓋１２の中間部を境にして、その両側にそれぞれ第３の電池蓋１２の裏面側に向けて突出して設けられていることにより、第３の電池蓋１２が載置面Ｔに接触することがなく、機器ケースの下辺側（図１２では左辺側）が高く、上辺側（図１２では右辺側）が低くなるように傾斜した状態で、機器ケース１を載置面Ｔ上に安定させた状態で配置させることができる。
【００６１】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６２】
（付記）
請求項１に記載の発明は、手に持って入力操作が可能で、かつ電池収納部が裏面側に開放されて設けられた装置本体と、前記装置本体の前記電池収納部に選択的に取り付けられる複数種類の電池蓋と、前記複数種類の電池蓋それぞれに設けられ、前記装置本体の裏面側を載置面上に配置した際に、前記装置本体を前記載置面上に安定させた状態で配置させるための複数の脚部と、を備え、前記複数種類の電池蓋は、湾曲の程度がそれぞれ異なる形状に形成されており、前記複数の脚部は、前記複数種類の電池蓋の湾曲の程度に応じた間隔を隔てて配置されていることを特徴とする携帯端末装置である。
【００６３】
請求項２に記載の発明は、請求項１に記載の携帯端末装置において、前記装置本体の表面側には、入力操作部が設けられており、前記電池収納部は、前記装置本体の裏面側に前記入力操作部と対応して設けられていることを特徴とする携帯端末装置である。
【００６４】
請求項３に記載の発明は、請求項１または請求項２に記載の携帯端末装置において、前記複数種類の電池蓋は、それぞれ形状が異なり、前記装置本体の前記電池収納部に着脱可能に取り付けられることを特徴とする携帯端末装置である。
【００６５】
請求項４に記載の発明は、請求項３に記載の携帯端末装置において、前記複数種類の電池蓋のうち、１つの電池蓋は、前記装置本体の裏面側に向けて緩やかに湾曲して突出する湾曲形状に形成されていることを特徴とする携帯端末装置である。
【００６６】
請求項５に記載の発明は、請求項４に記載の携帯端末装置において、前記電池蓋には、指掛け部が形成されていることを特徴とする携帯端末装置である。
【００６７】
請求項６に記載の発明は、請求項３に記載の携帯端末装置において、前記複数種類の電池蓋のうち、他の１つの電池蓋は、前記装置本体の裏面とほぼ同じ平坦形状に形成されていることを特徴とする携帯端末装置である。
【００６８】
請求項７に記載の発明は、請求項３に記載の携帯端末装置において、前記複数種類の電池蓋のうち、更に他の１つの電池蓋は、前記装置本体の裏面側に向けて盛り上がるほぼ箱形状に形成されていることを特徴とする携帯端末装置である。
【符号の説明】
【００６９】
１  機器ケース
２  上部ケース
３  下部ケース
４  表示窓部
４ａ  表示パネル
５  キー入力部
６  読取窓部
６ａ  読取突起部
１０  第１の電池蓋
１０ａ  指掛け部
１０ｂ  脚部
１１  第２の電池蓋
１１ａ  脚部
１２  第３の電池蓋
１２ａ  脚部
１３  電池収納部
１４  充電池
Ｔ  載置面
【図１】
2019009805.tif 000003
【図２】
2019009805.tif 000004
【図３】
2019009805.tif 000005
【図４】
2019009805.tif 000006
【図５】
2019009805.tif 000007
【図６】
2019009805.tif 000008
【図７】
2019009805.tif 000009
【図８】
2019009805.tif 000010
【図９】
2019009805.tif 000011
【図１０】
2019009805.tif 000012
【図１１】
2019009805.tif 000013
【図１２】
2019009805.tif 000014
【図１３】
2019009805.tif 000015
【図１４】
2019009805.tif 000016
【手続補正書】
【提出日】平成30年9月27日(2018.9.27)
【手続補正１】
【補正対象書類名】明細書
【補正対象項目名】０００５
【補正方法】変更
【補正の内容】
【０００５】
この発明が解決しようとする課題は、所定の電池蓋に交換した場合であっても載置面上に安定した状態で配置することができる携帯端末装置を提供することである。
【手続補正２】
【補正対象書類名】明細書
【補正対象項目名】０００６
【補正方法】変更
【補正の内容】
【０００６】
この発明に係る携帯端末装置は、装置本体に電池蓋を取り付けるための取付部が、前記装置本体の長手方向において下端側に偏った位置に設けられている携帯端末装置であって、前記取付部に選択的に取り付けられる第１電池蓋及び第２電池蓋を備え、前記第１電池蓋及び前記第２電池蓋のそれぞれは、当該電池蓋が前記取付部に取り付けられた状態で当該電池蓋が載置面側になるように前記載置面上に配置された際に前記装置本体を前記載置面上に安定配置させるための一対の脚部が前記装置本体の短手方向に並ぶように設けられており、前記第１電池蓋は、当該第１電池蓋における前記一対の脚部が並ぶ位置の湾曲度合いが前記第２電池蓋における前記一対の脚部が並ぶ位置の湾曲度合いよりもきつく形成されているとともに、当該第１電池蓋における前記一対の脚部間の幅が前記第２電池蓋における前記一対の脚部間の幅よりも狭く形成されている、
ことを特徴とする。
【手続補正３】
【補正対象書類名】明細書
【補正対象項目名】０００７
【補正方法】変更
【補正の内容】
【０００７】
この発明によれば、所定の電池蓋に交換した場合であっても載置面上に安定した状態で配置することができる。
【手続補正４】
【補正対象書類名】特許請求の範囲
【補正対象項目名】全文
【補正方法】変更
【補正の内容】
【特許請求の範囲】
【請求項１】
装置本体に電池蓋を取り付けるための取付部が、前記装置本体の長手方向において下端側に偏った位置に設けられている携帯端末装置であって、
前記取付部に選択的に取り付けられる第１電池蓋及び第２電池蓋を備え、
前記第１電池蓋及び前記第２電池蓋のそれぞれは、当該電池蓋が前記取付部に取り付けられた状態で当該電池蓋が載置面側になるように前記載置面上に配置された際に前記装置本体を前記載置面上に安定配置させるための一対の脚部が前記装置本体の短手方向に並ぶように設けられており、
前記第１電池蓋は、当該第１電池蓋における前記一対の脚部が並ぶ位置の湾曲度合いが前記第２電池蓋における前記一対の脚部が並ぶ位置の湾曲度合いよりもきつく形成されているとともに、当該第１電池蓋における前記一対の脚部間の幅が前記第２電池蓋における前記一対の脚部間の幅よりも狭く形成されている、
ことを特徴とする携帯端末装置。
【請求項２】
前記装置本体は、前記長手方向において上端側に偏った位置に、前記取付部に取り付けられている電池蓋に設けられている一対の脚部とともに当該装置本体を前記載置面上に安定配置させるための突起部が設けられている、
ことを特徴とする請求項１に記載の携帯端末装置。